(57)【特許請求の範囲】
【請求項１】
シャツ、ランジェリ−、ナイティ等の丸編地で形成した丸編地の婦人用下着において、
上記丸編地の上端部の後側を所要の後身頃形状に裁断するとともに、前側の前身頃の両側の脇部からその中心の鳩尾部に向かって正面から見るとほぼＶ字状で、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、
上記前身頃のほぼＶ字状の裁断部に所定幅のＶ字状に裁断した前身頃補助片の側辺部を縫合して、上記した乳頭部を前方の乳房の突出方向に突き出して乳房部をその前面側に向かって立体的に膨出する突出状態に形成したことを特徴とする丸編地の婦人用下着。
【請求項２】
身頃本体の乳房部の裁断曲線が乳頭部から上方の前身頃側方側に向かって２０〜４０度の斜めの直線状に、乳頭部から下方の前身頃の中心線側に向かって６０〜８０度の斜めの直線状に近い曲線として前身頃補助片を縫合した請求項１に記載の丸編地の婦人用下着。
【請求項３】
シャツ、ランジェリ−、ナイティ等の丸編地で形成した丸編地の婦人用下着の製造方法において、
丸編地を前身頃側の中心線と後身頃側の中心線で折り曲げて丸編地を平坦状に重ね合わせて、上記平坦状に重ね合わせた丸編地の上端部の後側を所要の後身頃形状に裁断するとともに、前側の前身頃の両側の脇部からその中心の鳩尾部に向かって正面から見るとほぼＶ字状で、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、
上記前身頃のほぼＶ字状の裁断部に所定幅のＶ字状に裁断した前身頃補助片の側辺部を上記した乳頭部を前方の乳房の突出方向に突き出して乳房部をその前面側に向かって立体的に膨出する突出状態に縫合して製造することを特徴とする丸編地の婦人用下着の製造方法。
【請求項４】
身頃本体の乳房部の裁断曲線が乳頭部から上方の前身頃側方側に向かって２０〜４０度の斜めの直線状に、乳頭部から下方の前身頃の中心線側に向かって６０〜８０度の斜めの直線状に近い曲線として前身頃補助片を縫合する請求項３に記載の丸編地の婦人用下着の製造方法。
【発明の詳細な説明】
【０００１】
【産業上の利用分野】
本発明は、丸編地の婦人用下着およびその製造方法に関し、特に、シャツ、ランジェリ−、ナイティ、ブラスリップ、ボディス−ツ、水着等の丸編地の婦人用下着およびその製造方法に関する。
【０００２】
【従来の技術】
従来、ブラジャ−やボディス−ツ等のファンデ−ションの婦人用下着は、女性のボディ−ラインを整え、プロポ−ションを美しくすることから、バストカップを用いたり、ワイヤ−を装着したりして、理想的な形状となるように平面状の生地を立体的に裁断して縫合して形成している。
【０００３】
このようにファンデ−ションはボディ−ラインを整えるのを目的としているのに対して、アウタ−の持ち味を十分に発揮するためにランジェリ−が愛用されている。
【０００４】
【発明が解決しようとする課題】
上記ランジェリ−のスカ−ト部側とバスト部側とを縫合したりして、前身頃側と後身頃側とをその両側部で縫合したものでは、乳房部の下部を垂直状等に切断して縫合し、乳房部をシルエットにそうように立体的に形成しているものが知られている。
【０００５】
しかし、ランジェリ−、シャツ等の丸編地で製造しているものでは、丸編地の一体成形性の特徴を生かすためにバスト部が平坦状で製品が偏平状態であり、そのため乳房部の膨らみを圧迫し、乳房部のシルエットにそった立体的なものでなく、身体を美しく整えて、外観を美しく表出できていないものであった。
【０００６】
【課題を解決するための手段】
本発明は、上記のような点に鑑みたもので、上記の課題を解決するために、シャツ、ランジェリ−、ナイティ等の丸編地で形成した丸編地の婦人用下着において、上記丸編地の上端部の後側を所要の後身頃形状に裁断するとともに、前側の前身頃の両側の脇部からその中心の鳩尾部に向かって正面から見るとほぼＶ字状で、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、上記前身頃のほぼＶ字状の裁断部に所定幅のＶ字状に裁断した前身頃補助片の側辺部を縫着して、上記した乳頭部を前方の乳房の突出方向に突き出して乳房部をその前面側に向かって立体的に膨出する突出状態に形成したことを特徴とする丸編地の婦人用下着を提供するにある。
【０００７】
身頃本体の乳房部の裁断曲線が乳頭部から上方の前身頃側方側に向かって２０〜４０度の斜めの直線状に、乳頭部から下方の前身頃の中心側に向かって６０〜８０度の斜めの直線状に近い曲線として前身頃補助片を縫合したことを特徴とする丸編地の婦人用下着の製造方法を提供するにある。
【０００８】
シャツ、ランジェリ−、ナイティ等の丸編地で形成した丸編地の婦人用下着の製造方法において、丸編地を前身頃側の中心線と後身頃側の中心線で折り曲げて丸編地を平坦状に重ね合わせて、上記平坦状に重ね合わせた丸編地の上端部の後側を所要の後身頃形状に裁断するとともに、前側の前身頃の両側の脇部からその中心の鳩尾部に向かって正面から見るとほぼＶ字状で、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、上記前身頃のほぼＶ字状の裁断部に所定幅のＶ字状に裁断した前身頃補助片の側辺部を上記した乳頭部を前方の乳房の突出方向に突き出して乳房部をその前面側に向かって立体的に膨出する突出状態に製造することを特徴とする丸編地の婦人用下着の製造方法を提供するにある。
【０００９】
また、身頃本体の乳房部の裁断曲線が乳頭部から上方の前身頃側方側に向かって２０〜４０度の斜めの直線状に、乳頭部から下方の前身頃の中心側に向かって６０〜８０度の斜めの直線状に近い曲線として前身頃補助片を縫合することを特徴とする丸編地の婦人用下着の製造方法を提供するにある。
【００１０】
【実施例】
以下、本発明を実施例にもとづいて説明する。図１〜図４は、本発明の一実施例を示すものである。、キャミソ−ル等の婦人用下着１の身頃本体２は、図１、図２のように綿糸や絹糸、ナイロン、ポリウレタン等の合成繊維糸や混紡糸を丸編機でメリヤス編等で編成した丸編地で形成している。
【００１１】
そして、図１〜図３のように上記丸編地の身頃本体２の上端側の後側を所要の後身頃形状に裁断しているとともに、前側のバスト部３をその左右の乳房部４を正面からみるとほぼＶ字状となるようにして、図３のようにその乳頭部５の上方側を斜め上方に、乳頭部５の下方側を斜め下方にそれぞれ滑らかな曲線状として乳頭部５をこの上方側と下方側の乳房部４の周辺に対して最小の曲率半径で前身頃の中心線Ａ−Ａ側に突出した状態に丸編地を裁断している。
【００１２】
上記丸編地の身頃本体２の上下部の裁断は、図１、図３のように編成した丸編地を前身頃側の中心線Ａ−Ａと後身頃側の中心線Ｂ−Ｂで折り曲げて平坦状に重ね合わせて、この平坦状に重ね合わせた丸編地の上端側を図３のように上記した前身頃部の上端側の曲線Ｃ−Ｃおよび後身頃の曲線Ｃ−Ｄで切断し、
下端側については従来通り水平状等に曲線Ｅ−Ｅで切断しているものである。
【００１３】
身頃本体２の上端側の切断Ｃ−Ｃにあっては、図１に示しているように前身頃補助片６との縫合線Ｆ−Ｆが脇下から前身頃の中心線Ａ−Ａと下部胸囲線Ｇ−Ｇとの交点またはそれよりやや下方となるようにしている。
【００１４】
なお、図１、図２のように縫合後における婦人用下着１の周径は、トップバストでの乳頭囲線Ｈ−Ｈで最大となって乳頭部５が膨出するようにしていて、トップバストの部位を他部位よりも２cm以上大きくなるように片側で１cm以上前身頃補助片６を内側に湾曲させて前身頃と縫合することが好ましい。
【００１５】
また、図１、図２のように縫合後における婦人用下着１の周径は、アンダ−バストの下部胸囲線Ｇ−Ｇで最小またはほぼ最小となるように、下部胸囲線と縫合線の交点部においてそれぞれ前身頃補助片６を外側に湾曲させたり、交点部になるように前身頃と縫合することが好ましい。
【００１６】
上記した身頃本体２の乳房部４の裁断曲線は、図３のように乳頭部５から上方側を前身頃の側方側に向かって２０〜４０度の斜めの直線状に、下方側を前身頃の中心側に向かって６０〜８０度の斜めの直線に近い曲線とするのが、乳房部４を脇側から内側に寄せて上方へ持ち上げる効果が生じて好ましい。
【００１７】
このように形成した身頃本体２の前身頃の上部側を縫合する前身頃補助片６は、丸編地と同一生地やレ−ス生地で図４のように所定幅のＶ字状に裁断していて、その下辺部を直線状や上記した身頃本体２の曲線よりやや緩やかな曲線状として、Ｖ字状の前身頃補助片６のＶ字状の側縁部と上記した身頃本体２の前身頃のバスト部３の正面からみてほぼＶ字状とした側縁部とを縫合して、図１、図２のように上記した乳頭部５を後身頃側に対して前方側へ突き出すようにして身頃本体２に乳房部４が立体的に膨出するように縫合している。
【００１８】
このように構成した身頃本体２、前身頃補助片６の端部には、公知のように縁飾り（図示せず）を縫着し、肩紐７を取り付けてキャミソ−ル等の婦人用下着１を構成しているものである。
【００１９】
しかして、上記婦人用下着１を着用すると、図２のように脇縫いがないため脇部での肌ざわりがよくて着心地がよく、かつこのように脇縫いのない丸編地であるにもかかわらず、図１、図２のように乳房部４を前面側に向かって立体的に膨出できるとともに乳頭部５を圧迫せずに衣服圧を減少でき、乳房部４を体裁よくもち上げて奇麗なボディラインを表出できるものである。
【００２０】
特に、図１のように身頃本体２を両脇部から鳩尾部にかけてＶ字状に切欠し、前身頃補助片６を上記のように縫合しているため、乳房部４の両脇下部側が最大の衣服圧となり、乳房部４を内側に寄せて上に持ち上げる補整効果が生じてバストを美しく表出できる。
【００２１】
なお、上記乳房部の裁断部分は、波形状や鋸歯状の凹凸状としたりするなど、本発明の趣旨にもとづいた範囲で変形態様が適宜に実施できるものである。
【００２２】
また、実施例では、縫い代や重ね代について特に説明していないが、周知の縫い代分を設けて縫着するものであり、また乳房部分の水平方向の重なりを少なくとも２cm以上とることが好ましいものである。
【００２３】
以上では、身体にソフトに着用するキャミソ−ルやスリップ、ナイティなどのランジェリ−およびインナ−のシャツ等に適しているが、ブラジャ−と一体となったブラスリップやブラキャミソ−ル、ボディス−ツ等のファンデ−ションや水着等にも適用することができるものである。
【００２４】
上記ボディス−ツ等のファンデ−ションでは、丸編地をポリウレタン糸やポリウレタン混紡糸等の弾性伸縮糸で編成し、バスト部、ウエスト部、ヒップ部を適正に締めて整形することができるとともに、上記バスト部の補整効果を一層高めることができて好ましい。またさらに、上記婦人用下着を、アンモニア処理やホルマリンガス処理を施した綿糸や混紡糸で編成し、ノ−アイロンのものとすることもできるものである。
【００２５】
【発明の効果】
以上のように本発明にあっては、丸編地の上端部の後側を所要の後身頃形状に裁断するとともに、前側の前身頃の両側の脇部からその中心の鳩尾部に向かって正面から見るとほぼＶ字状で、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、上記前身頃のほぼＶ字状の裁断部に所定幅のＶ字状に裁断した前身頃補助片の側辺部を縫合して、上記した乳頭部を前方の乳房の突出方向に突き出して乳房部をその前面側に向かって立体的に膨出する突出状態に形成することによって、丸編地の脇縫いの必要のないランジェリ−等であるにもかかわらず、乳房部を滑らかな立体状に膨出できて、ランジェリ−等を乳房部のシルエットにそって奇麗に着用でき、女性としてのボディラインを美しく表出できるものであるとともに、生地、縫製面で生産性を高めることができるものである。
【００２６】
そして、特に身頃本体の乳房部の裁断曲線が乳頭部から上方の前身頃側方側に向かって２０〜４０度の斜めの直線状に、乳頭部から下方の前身頃の中心線側に向かって６０〜８０度の斜めの直線状に近い曲線として前身頃補助片を縫合することによって、乳房部を脇側から内側に寄せて上方へ持ち上げる効果が生じて好ましい。
【００２７】
また、丸編地を前身頃側の中心線と後身頃側の中心線で折り曲げて丸編地を平坦状に重ね合わせて、上記平坦状に重ね合わせた丸編地の上端部の後側を所要の後身頃形状に裁断するとともに、前側の前身頃を両側の脇部からその中心の鳩尾部に向かって正面から見るとほぼＶ字状に裁断し、そのＶ字状の側縁の左右の乳房部に対応する部分を乳頭部の上方側を斜め上方に、乳頭部の下方側を斜め下方にそれぞれ滑らかな曲線として乳頭部をこの上方側と下方側の乳房部の周辺に対して最小の曲率半径で前身頃の中心線側に突出した状態に裁断し、上記前身頃のほぼＶ字状の裁断部に所定幅のＶ字状に裁断した前身頃補助片の側辺部を上記した乳頭部を前方の乳房の突出方向に突き出して乳房部をその前面側に向かって立体的に膨出する突出状態に縫合して製造することによって、
上記のシャツ、ランジェリ−、ナイティ等の丸編地で形成した丸編地の婦人用下着を製造できる。
【００２８】
また、身頃本体の乳房部の裁断曲線が乳頭部から上方の前身頃側方側に向かって２０〜４０度の斜めの直線状に、乳頭部から下方の前身頃の中心線側に向かって６０〜８０度の斜めの直線状に近い曲線として前身頃補助片を縫合することによって、乳房部を脇側から内側に寄せて上方へ持ち上げるようにできる。
【図面の簡単な説明】
【図１】本発明の一実施例の一部省略した正面図、
【図２】同上の一部省略した側面図、
【図３】同上の丸編地の裁断説明用図、
【図４】同上の縫合する前身頃補助片の正面図。
【符号の説明】
１…婦人用下着          ２…身頃本体            ３…バスト部
４…乳房部              ５…乳頭部              ６…前身頃補助片
９…バスト部補助片
【図１】
0003773553.tif 000002
【図２】
0003773553.tif 000003
【図３】
0003773553.tif 000004
【図４】
0003773553.tif 000005